【手続補正書】
【提出日】平成16年12月2日(2004.12.2)
【手続補正１】
【補正対象書類名】明細書
【補正対象項目名】全文
【補正方法】変更
【補正の内容】
【書類名】      明細書
【発明の名称】  遊技機製造工場
【特許請求の範囲】
【請求項１】  前枠ユニットに遊技板を装着し且つその遊技板を着脱自在にしてなる遊技機の製造工場であって、
建物を多層構造に形成すると共にその建物の任意のフロアに遊技板の製造ラインを形成し、それより下層又は上層のフロアに遊技板を除く前枠ユニットの製造ラインを形成し、もって遊技板の製造ラインと前枠ユニットの製造ラインを縦方向に配置させ、さらに両フロアを搬送用の昇降リフトで繋ぐようにしたことを特徴とする遊技機製造工場。
【請求項２】  運搬車に対して荷物の積み降ろしが可能なフロアに製品の出荷場を形成し、それより上層に前枠ユニットの製造ラインを形成し、さらにそれより上層に遊技板の製造ラインを形成し、遊技板の製造フロアから前枠ユニットの製造フロアを経由して前記出荷場に至る昇降リフトを設置し、一方、前枠ユニットの製造フロアと出荷場とを前記昇降リフトとは別の昇降リフトで繋ぐようにしたことを特徴とする遊技機製造工場。
【請求項３】  運搬車に対して荷物の積み降ろしが可能なフロアに製品の出荷場を形成し、それより上層に前枠ユニットの製造ラインを形成し、さらにそれより上層に遊技板の製造ラインを形成し、遊技板の製造フロアから前枠ユニットの製造フロアを経由して前記出荷場に至る昇降リフトを設置し、一方、前枠ユニットの製造フロアと出荷場とを前記昇降リフトとは別の昇降リフトで繋ぐようになし、また、前記前枠ユニットの製造ラインの始端を遊技板の製造フロアから出荷場に至る昇降リフトの近傍に配置すると共に該製造ラインの終端をもう一つの昇降リフトに接続させるようにしたことを特徴とする遊技機製造工場。
【発明の詳細な説明】
【０００１】
【発明の属する技術分野】
本発明は、前枠ユニットに遊技板を装着し且つその遊技板を着脱自在にしてなる遊技機の製造工場に関する。
【０００２】
【従来の技術】
前枠ユニットに対して遊技板を着脱自在に装着してなる遊技機としてパチンコ機や封入球を機内で循環させるコイン式ゲーム機などがある。例えばパチンコ機は、外枠と、その外枠の正面に取り付けた前枠ユニットと、その前枠ユニットに着脱自在に取り付けた遊技板とを有する。そして前記遊技板には遊技領域を円形に囲うガイドレール、入賞球受口器、入賞装置、風車、障害釘等が取り付けられている。
【０００３】
しかして、現在パチンコ機はライン化された製造設備を有する工場で量産されているが、従来の遊技機製造工場はワンフロアに全製造ラインを配置し、遊技機製造の全てをそこで行うようにしていた。なお、遊技機に組み込む部品類（打球発射装置や入賞装置等）については外注先にて組み立てたものを使用する場合がある。
【０００４】
【発明が解決しようとする課題】
通常、パチンコ機は前枠ユニットに対して遊技板が着脱式になっているため遊技板だけの入れ替えが可能である。従って遊技板は独立して流通する一つの商品である。また、遊技板のない前枠ユニットも独立して流通する一つの商品である。そのため遊技板だけや遊技板のない前枠ユニットだけを製造する場合があるが、従来の遊技機製造工場では前記のようにワンフロアに全製造ラインが配置されていたため、どちらか一方の製造ラインだけを動かすにも広いフロアの全体について冷暖房をする必要があって不経済であり、また、広い敷地が必要であるから建設コストが嵩む、等の問題点があった。
【０００５】
本発明は、前記前枠ユニットの製造工程と遊技板の製造工程が完全に分離可能である、という一種の発見を契機としてなされたもので、その目的は遊技板と前枠ユニットの製造が夫々効率的に行え、また狭い敷地にも建設可能な遊技機製造工場を提供することにある。
【０００６】
【課題を解決するための手段】
上記の目的を達成するため本発明は、前枠ユニットに遊技板を装着し且つその遊技板を着脱自在にしてなる遊技機の製造工場であって、建物を多層構造に形成すると共にその建物の任意のフロアに遊技板の製造ラインを形成し、それより下層又は上層のフロアに遊技板を除く前枠ユニットの製造ラインを形成し、もって遊技板の製造ラインと前枠ユニットの製造ラインを縦方向に配置させ、さらに両フロアを搬送用の昇降リフトで繋ぐようにした。
【０００７】
遊技機の製造ラインを遊技板の製造ラインと前枠ユニットの製造ラインに分割して上下別々のフロアに配置したため、遊技板のみの製造や遊技板を除いた前枠ユニットの製造が効率的に行える。一方、遊技板を組み込んだ前枠ユニットやそれに外枠を組んだ完成された遊技機を製造するには遊技板の製造ラインを含む全ての製造ラインを稼働させ、完成した遊技板を昇降リフトで前枠ユニット製造用のフロアに移して前枠ユニットに組み込めばよいため、遊技板付きの前枠ユニットや遊技機の製造効率も従来工場と変わらない。
【０００８】
また、より好ましくは、請求項２に記載したように、運搬車に対して荷物の積み降ろしが可能なフロアに製品の出荷場を形成し、それより上層に前枠ユニットの製造ラインを形成し、さらにそれより上層に遊技板の製造ラインを形成し、遊技板の製造フロアから前枠ユニットの製造フロアを経由して前記出荷場に至る昇降リフトを設置し、一方、前枠ユニットの製造フロアと出荷場とを前記昇降リフトとは別の昇降リフトで繋ぐようにするとよい。そうすることにより遊技板や前枠ユニットの流れがスムーズになり、より生産性を高めることができる。
【０００９】
【発明の実施の形態】
以下に本発明の実施の形態をパチンコ機の製造工場を例示して説明する。なお、図１はパチンコ機製造工場の各フロアを示す概略の斜視図、図２はパチンコ機の正面図である。
【００１０】
先ず、パチンコ機Ｐは、図２に示したように、四角い外枠１と、その外枠１の正面にドア状に回動自在に取り付けられた前枠ユニット２とから概略構成される。前記前枠ユニット２は、長方形の窓穴３を有する額縁状の前枠４と、その前枠４の窓穴３を縁取りする金枠５と、窓穴３のほぼ上半分強を覆うガラス扉枠６と、上球皿７を有し窓穴３の残り下半分を覆う前面板８と、前枠４の正面下方に固着され操作ハンドル９と下球皿１０と灰皿１１とを一体に集約設置した下球皿ユニット１２と、前枠４の前記窓穴３に対応する裏面に着脱自在に取り付けた遊技板１３と、図示しないが前枠４の裏面に装着した機構板と、から概略構成される。また、遊技板１３は、ガイドレール１４で遊技領域１５を円形に囲い、その遊技領域１５に風車１６、入賞球受口器１７、入賞装置１８、障害釘１９等を取り付けてなる。
【００１１】
しかして実施形態のパチンコ機製造工場は、図１に示したように建物２０が三階建てになっており、下から順に一階が倉庫兼出荷場２１、二階が前枠ユニット２の製造ライン２２を設置した前枠ユニット２の製造フロア２３、三階が遊技板１３の製造ライン２４を設置した遊技板１３の製造フロア２５である。そして三階から二階を通って一階に至る遊技板１３用の昇降リフト２６が設置され、また、二階から一階に前枠ユニット２または完成したパチンコ機Ｐを搬送する昇降リフト２７が設置されている。
【００１２】
通常、遊技板１３の製造は、表面装飾フィルムの貼着、ルーター等による孔開け、障害釘１９の打ち付け、ガイドレール１４の取り付け、風車１６の取り付け、入賞装置１８や装飾部品（以下入賞装置等という。）の取り付け、裏側の部品類の取り付け、完成した遊技板１３の検査、の順に行われる。このうち表面装飾フィルムの貼着と孔開けは別の場所（外注等の別工場）で行われる。
【００１３】
三階の遊技板１３の製造ライン２４の搬送手段となるコンベア２４−１は、孔開けした遊技板１３をストックするストック領域Ａに始端部がある。そしてその製造ライン２４には始端部から順に、障害釘１９を打ち付ける釘打ち工程Ｂ、ガイドレール１４を取り付けるレール取付工程Ｃ、風車１６を取り付ける風車取付工程Ｄがあり、そこから第二のコンベア２４−２に移動して、入賞装置等を取り付ける入賞装置等取付工程Ｅ、裏側の部品類を取り付ける裏部品取付工程Ｆ、遊技板１３をチェックする検査工程Ｇがあり、製造ライン２４の終端が前記昇降リフト２６の近傍に位置する。
【００１４】
二階の前枠ユニット２の製造ライン２２の搬送手段となるコンベア２２−１は前記遊技板１３用の昇降リフト２６の近傍に始端があり、その始端部の傍に前枠４がストックされている。なお、前枠４には外注等の別工場で必要な孔開け加工を施し、また、ヒンジ金具２８（図２参照。）等も取り付けてある。
【００１５】
前枠ユニット２の製造ライン２２には始端部から順に、前枠４をコンベア２２−１に供給する移送工程Ｈ、前枠４の窓穴３にガラス扉枠６付きの金枠５を取り付ける金枠取付工程Ｊ、下球皿ユニット１２を取り付ける下球皿ユニット取付工程Ｋ、前枠４を裏返しに反転させる前枠反転工程Ｌ、前枠４に遊技板１３を取り付ける遊技板装着工程Ｍ、前枠４に機構板を取り付ける機構板取付工程Ｎ、前枠４を垂直に起立させて金枠５に前面板８を取り付ける前面板取付工程Ｑ、完成した前枠ユニット２を検査する検査工程Ｒ、前枠ユニット２を外枠１に組み付ける外枠組み付け工程Ｓ、製品を袋詰めにする梱包工程Ｔとから概略構成され、終端に前記昇降リフト２７が接続している。
【００１６】
次に、本発明のパチンコ機製造工場を使用して遊技板１３、前枠ユニット２、パチンコ機Ｐを製造する方法について説明する。先ず、遊技板１３のみを製造する場合は三階の遊技板１３の製造ライン２４を稼働させ、二階の前枠ユニット２の製造ライン２２を停止させておく。そして製造した遊技板１３を昇降リフト２６を使って三階から一階の倉庫兼出荷場２１に直接搬送し、そこで運搬車に積み込んで出荷するか又は保管する。
【００１７】
次に遊技板１３のない前枠ユニット２を製造する場合は二階の前枠ユニット２の製造ライン２２を稼働させ、三階の遊技板１３の製造ライン２４を停止させておく。そして前枠ユニット２の製造ライン２２の遊技板装着工程Ｍと外枠組み付け工程Ｓを飛ばして梱包工程Ｔで梱包し、昇降リフト２７を使って二階から一階に搬送し、それを出荷又は保管する。また、この前枠ユニット２に外枠１を組んで出荷する場合は、外枠組み付け工程Ｓを実行して梱包工程Ｔで梱包し、昇降リフト２７を使って二階から一階に搬送する。
【００１８】
次に遊技板１３付きの前枠ユニット２を製造する場合は二階と三階の製造ライン２２，２４を稼働させ、三階で作った遊技板１３を昇降リフト２６で二階に降ろし、遊技板装着工程Ｍで前枠ユニット２に組み込む。そして外枠組み付け工程Ｓを飛ばして梱包し、昇降リフト２７で一階に搬送する。また、この前枠ユニット２に外枠組み付け工程Ｓで外枠１を組み付ければパチンコ機Ｐの完成品ができる。
【００１９】
以上本発明を実施形態について説明したが、もちろん本発明は上記実施形態に限定されるものではない。例えば、実施形態ではパチンコ機製造工場について例示的に説明したが、前枠ユニット２に着脱式の遊技板１３を組み込むタイプの遊技機を対象とした製造工場の全てに適用可能である。
【００２０】
また、実施形態では製造ライン２２，２４の工程の具体例について説明したが、そのような製造ライン２２，２４の工程の内容や順序は適宜変更してもよい。また、実施形態では一階に出荷場２１を形成したが、運搬車の乗り入れが可能である限り出荷場２１は二階以上でも地階であってもよい。また、実施形態では遊技板１３の製造ライン２４の下層に前枠ユニット２の製造ライン２２を形成したがその逆であってもよい。
【００２１】
【発明の効果】
本発明の遊技機製造工場は、遊技機の製造ラインを遊技板の製造ラインと前枠ユニットの製造ラインに分割して上下別々のフロアに配置したため、遊技板のみの製造や遊技板を除いた前枠ユニット又は遊技機の製造が効率的に行える。一方、遊技板を組み込んだ前枠ユニットやそれに外枠を組んだ遊技機の完成品を製造するには遊技板の製造ラインを含む全ての製造ラインを稼働させ、完成した遊技板を昇降リフトで前枠ユニットの製造フロアに移して前枠ユニットに組み込めばよいため、遊技板付きの前枠ユニットや遊技機の完成品の製造効率も従来工場と変わらない。
【００２２】
また、請求項２のように上階から下に向かって、遊技板の製造ライン、前枠の製造ライン、出荷場の順に配置すれば、上記請求項１の効果に加えて、遊技板や前枠ユニットが高所から低所に流れるため昇降リフトの負荷が少なく、また、遊技板の昇降リフトと前枠ユニットの昇降リフトを別々に分けたため、前枠ユニットの製造フロアまたは出荷場への遊技板の搬送と、前枠ユニットの出荷場への搬送が並行して同時に行えるから、各フロア間の流通が円滑になり高い生産性が達成できる。
【図面の簡単な説明】
【図１】  パチンコ機製造工場の各フロアを示す概略の斜視図である。
【図２】  パチンコ機の正面図である。
【符号の説明】
Ｐ  …パチンコ機（遊技機）
２  …前枠ユニット
１３…遊技板
２０…建物
２１…出荷場
２２…前枠ユニットの製造ライン
２３…前枠ユニットの製造フロア
２４…遊技板の製造ライン
２５…遊技板の製造フロア
２６…昇降リフト
２７…昇降リフト